Podtech/llm-jp-corpus-v4-ja_patent huggingface dataset:
【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
物体側から順に、物体側に凸面を向けた第１負メニスカスレンズと、物体側に凸面を向けた第２負メニスカスレンズと、物体側に凸面を向けたメニスカス形状のレンズと、物体側に凸面を向けた正レンズとからなり、マスターレンズの物体側に装着され、マスターレンズの焦点距離をより短い焦点距離にし、以下の条件を満足することを特徴とするワイドコンバータ。
０．２４＜ｄ５／Σｄ＜０．３２
但し、
ｄ５：前記メニスカス形状のレンズの中心厚、
Σｄ：前記ワイドコンバータの光軸上の総厚、
【請求項２】
以下の条件を満足することを特徴とする請求項１に記載のワイドコンバータ。
−０．３＜ＳＦ３＜０．３
但し、
ＳＦ３：前記メニスカス形状のレンズの形状因子、
形状因子は、レンズの物体側面の曲率半径をｒ１、像側面の曲率半径をｒ２として、
ＳＦ＝（ｒ２−ｒ１）／（ｒ２＋ｒ１）
【請求項３】
前記メニスカス形状のレンズは、負メニスカスレンズであることを特徴とする請求項１または２に記載のワイドコンバータ。
【請求項４】
以下の条件を満足することを特徴とする請求項１から３のいずれか１項に記載のワイドコンバータ。
ν３＜ν２
ν３＜ν４
但し、
ν２：前記第２負メニスカスレンズのｄ線(波長λ＝587.6nm)におけるアッベ数、
ν３：前記メニスカス形状のレンズのｄ線(波長λ＝587.6nm)におけるアッベ数、
ν４：前記正レンズのｄ線(波長λ＝587.6nm)におけるアッベ数.
【請求項５】
以下の条件を満足することを特徴とする請求項１から４のいずれか１項に記載のワイドコンバータ。
０．９＜ｒａ／ｒｂ＜１．１
０．８＜ｒｃ／ｒｄ＜１．４
但し、
ｒａ：前記第２負メニスカスレンズの像側面の曲率半径、
ｒｂ：前記メニスカス形状のレンズの物体側面の曲率半径、
ｒｃ：前記メニスカス形状のレンズの像側面の曲率半径、
ｒｄ：前記正レンズの物体側面の曲率半径.
【請求項６】
以下の条件を満足することを特徴とする請求項１から５のいずれか１項に記載のワイドコンバータ。
−１．１＜ＳＦ１＋ＳＦ２＜−０．８
但し、
ＳＦ１：前記第１負メニスカスレンズの形状因子、
ＳＦ２：前記第２負メニスカスレンズの形状因子、
形状因子は、レンズの物体側面の曲率半径をｒ１、像側面の曲率半径をｒ２として、
ＳＦ＝（ｒ２−ｒ１）／（ｒ２＋ｒ１）
【手続補正２】
【補正対象書類名】明細書
【補正対象項目名】０００２
【補正方法】変更
【補正の内容】
【０００２】
ＣＣＤをはじめとする固体撮像素子を利用したいわゆるデジタルスチルカメラやビデオカメラが、従来のフィルムカメラにかわって普及を見せている。これら固体撮像素子用レンズは、従来のフィルムカメラのレンズに比べて、画面サイズが小さいため、マスターレンズの大きさが小さく、フロントコンバータを小型化しやすいという特徴をもっている。この特徴を利用して、マスターレンズの焦点距離を変化させるためのフロントワイドコンバータがいくつか提案されている（例えば、特許文献１、特許文献２参照。）。
【特許文献１】特開平８−４３７３２号公報
【特許文献２】特開平７−１３０７４号公報
【手続補正３】
【補正対象書類名】明細書
【補正対象項目名】０００６
【補正方法】変更
【補正の内容】
【０００６】
上記課題を解決するために、本発明は、物体側から順に、物体側に凸面を向けた第１メニスカスレンズと、物体側に凸面を向けた第２負メニスカスレンズと、物体側に凸面を向けたメニスカス形状のレンズと、物体側に凸面を向けた正レンズとからなり、マスターレンズの物体側に装着され、マスターレンズの焦点距離をより短い焦点距離にし、以下の条件を満足することを特徴とするワイドコンバータを提供する。
０．２４＜ｄ５／Σｄ＜０．３２
但し、ｄ５は前記メニスカス形状のレンズの中心厚、Σｄは前記ワイドコンバータの光軸上の総厚である。
【手続補正４】
【補正対象書類名】明細書
【補正対象項目名】０００７
【補正方法】変更
【補正の内容】
【０００７】
また、本発明のワイドコンバータは、以下の条件を満足することが好ましい。
−０．３＜ＳＦ３＜０．３
但し、ＳＦ３は前記メニスカス形状のレンズの形状因子であり、形状因子は、レンズの物体側面の曲率半径をｒ１、像側面の曲率半径をｒ２として、
ＳＦ＝（ｒ２−ｒ１）／（ｒ２＋ｒ１）
で表されるものとする。
また、本発明のワイドコンバータでは、前記メニスカス形状のレンズは、負メニスカスレンズであることが好ましい。
【手続補正書】
【提出日】平成20年2月26日(2008.2.26)
【手続補正１】
【補正対象書類名】特許請求の範囲
【補正対象項目名】全文
【補正方法】変更
【補正の内容】
【特許請求の範囲】
【請求項１】
主として不飽和脂肪酸グリセリドを有する絶縁性液体と、前記絶縁性液体中に分散したトナー粒子と、酸化防止剤と、ポリエーテルで被覆することでカプセル化された前記不飽和脂肪酸グリセリドの酸化重合反応を促進させる酸化重合促進剤と、を含むことを特徴とする液体現像剤。
【請求項２】
前記酸化重合促進剤は、脂肪酸金属塩である請求項１に記載の液体現像剤。
【請求項３】
液体現像剤中における前記酸化重合促進剤の含有量は、前記不飽和脂肪酸グリセリド１００重量部に対して０．０１〜１０重量部である請求項１または２に記載の液体現像剤。
【請求項４】
前記カプセル化は、前記酸化重合促進剤を多孔質体に吸着させた後、該多孔質体を被覆することにより行う請求項１ないし３のいずれか一項に記載の液体現像剤。
【請求項５】
前記絶縁性液体中における前記酸化防止剤の含有量は、０．０１〜１０ｗｔ％である請求項１ないし４のいずれか一項に記載の液体現像剤。
【請求項６】
前記酸化防止剤は、ビタミンＣである請求項１ないし５のいずれか一項に記載の液体現像剤。
【請求項７】
前記脂肪酸金属塩は、オクチル酸亜鉛である請求項２に記載の液体現像剤。
【請求項８】
前記酸化防止剤の熱分解温度は、２００℃以下である請求項１ないし６のいずれか一項に記載の液体現像剤。
【請求項９】
主として不飽和脂肪酸グリセリドを有する絶縁性液体と、前記絶縁性液体中に分散したトナー粒子と、酸化防止剤と、ポリエーテルで被覆することでカプセル化された前記グリセリドの酸化重合反応を促進させる酸化重合促進剤と、を含む液体現像剤を用い、前記酸化防止剤の熱分解温度は未定着トナー画像を定着する際の定着温度以下であることを特徴とする画像形成方法。
【請求項１０】
主として不飽和脂肪酸グリセリドを有する絶縁性液体と、前記絶縁性液体中に分散したトナー粒子と、酸化防止剤と、ポリエーテルで被覆することでカプセル化された前記グリセリドの酸化重合反応を促進させる酸化重合促進剤と、を含む液体現像剤を用い、未定着トナー画像を定着する際の定着温度は前記酸化防止剤の熱分解温度より高い温度であることを特徴とする画像形成装置。
【手続補正２】
【補正対象書類名】明細書
【補正対象項目名】発明の名称
【補正方法】変更
【補正の内容】
【発明の名称】液体現像剤、画像形成方法および画像形成装置
【手続補正３】
【補正対象書類名】明細書
【補正対象項目名】０００１
【補正方法】変更
【補正の内容】
【０００１】
本発明は、液体現像剤、画像形成方法および画像形成装置に関するものである。
【手続補正４】
【補正対象書類名】明細書
【補正対象項目名】０００６
【補正方法】変更
【補正の内容】
【０００６】
本発明の目的は、定着特性および長期安定性に優れ、かつ、環境に優しい液体現像剤を提供することにある。また、そのような液体現像剤を用いた画像形成方法および画像形成装置を提供することにある。
【手続補正５】
【補正対象書類名】明細書
【補正対象項目名】０００７
【補正方法】変更
【補正の内容】
【０００７】
このような目的は、下記の本発明により達成される。
本発明の液体現像剤は、主として不飽和脂肪酸グリセリドを有する絶縁性液体と、前記絶縁性液体中に分散したトナー粒子と、酸化防止剤と、ポリエーテルで被覆することでカプセル化された前記不飽和脂肪酸グリセリドの酸化重合反応を促進させる酸化重合促進剤と、を含むことを特徴とする。
本発明の液体現像剤では、前記酸化重合促進剤は、脂肪酸金属塩であることが好ましい。
本発明の液体現像剤では、液体現像剤中における前記酸化重合促進剤の含有量は、前記不飽和脂肪酸グリセリド１００重量部に対して０．０１〜１０重量部であることが好ましい。
本発明の液体現像剤では、前記カプセル化は、前記酸化重合促進剤を多孔質体に吸着させた後、該多孔質体を被覆することにより行うことが好ましい。
本発明の液体現像剤では、前記絶縁性液体中における前記酸化防止剤の含有量は、０．０１〜１０ｗｔ％であることが好ましい。
本発明の液体現像剤では、前記酸化防止剤は、ビタミンＣであることが好ましい。
本発明の液体現像剤では、前記脂肪酸金属塩は、オクチル酸亜鉛であることが好ましい。
本発明の液体現像剤では、前記酸化防止剤の熱分解温度は、２００℃以下であることが好ましい。
本発明の画像形成方法は、主として不飽和脂肪酸グリセリドを有する絶縁性液体と、前記絶縁性液体中に分散したトナー粒子と、酸化防止剤と、ポリエーテルで被覆することでカプセル化された前記グリセリドの酸化重合反応を促進させる酸化重合促進剤と、を含む液体現像剤を用い、前記酸化防止剤の熱分解温度は未定着トナー画像を定着する際の定着温度以下であることを特徴とする。
本発明の画像形成装置は、主として不飽和脂肪酸グリセリドを有する絶縁性液体と、前記絶縁性液体中に分散したトナー粒子と、酸化防止剤と、ポリエーテルで被覆することでカプセル化された前記グリセリドの酸化重合反応を促進させる酸化重合促進剤と、を含む液体現像剤を用い、未定着トナー画像を定着する際の定着温度は前記酸化防止剤の熱分解温度より高い温度であることを特徴とする。
以上の構成により、定着特性および長期安定性に優れ、かつ、環境に優しい液体現像剤を提供することができる。
また、本発明の液体現像剤は、絶縁性液体中にトナー粒子が分散した液体現像剤であって、
前記絶縁性液体は、主として、不飽和脂肪酸のグリセリドで構成され、かつ、酸化防止剤とを含み、
液体現像剤中には、前記グリセリドの酸化重合反応を促進する酸化重合促進剤が含まれており、
前記酸化重合促進剤は、カプセル化された状態で含まれていることを特徴とする。
これにより、定着特性および長期安定性に優れ、かつ、環境に優しい液体現像剤を提供することができる。
【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
（Ａ）一般式（Ｉ）で表される繰り返し単位及び一般式（ＩＩ）で表される繰り返し単位を含有する、酸の作用によりアルカリ現像液に対する溶解度が増大する樹脂、及び、（Ｂ）一般式（ＢＩ）で表される化合物を含有することを特徴とするＥＵＶ露光用ポジ型レジスト組成物。
【化１】
2006276760.tif 000001
一般式（Ｉ）において、
Ｒ1は、水素原子、メチル基、シアノ基、ハロゲン原子又はペルフルオロ基を表す。
Ｒ2は非酸分解性基を表す。
ｎは０〜４の整数を表す。
一般式（II）において、
Ｒ3〜Ｒ5は、各々独立に、水素原子、フッ素原子、塩素原子、シアノ基又はアルキル基を表す。
Ｘ1は水素原子又は有機基を表す。
【化２】
2006276760.tif 000002
一般式（ＢＩ）中、
Ｒa〜Ｒcは、各々独立して、アルキル基又はアリール基を表す。但し、Ｒa〜Ｒcにおけるアルキル基及びアリール基は、対応するアルカン及びアレーンの１気圧における沸点が各々１６０℃以上となる基である。
Ｘ-は、非求核性アニオンを表す。
【請求項２】
樹脂（Ａ）がさらに下記一般式（III）で表される繰り返し単位を含有することを特徴とする請求項１に記載のＥＵＶ露光用ポジ型レジスト組成物。
【化３】
2006276760.tif 000003
一般式（III）において、
Ｒ1は、水素原子、メチル基、シアノ基、ハロゲン原子又はペルフルオロ基を表す。
Ｒ2は非酸分解性基を表す。
Ｘは有機基を表す。
ｎは０≦ｎ≦５の整数、ｍは０≦ｍ≦５の整数であり、１≦ｎ＋ｍ≦５である。
【請求項３】
一般式（II）中のＸ1及び一般式（III）中のＸの少なくともいずれかが脂環構造又は芳香環構造を含有することを特徴とする請求項２に記載のＥＵＶ露光用ポジ型レジスト組成物。
【請求項４】
請求項１〜３のいずれかに記載のポジ型レジスト組成物により、レジスト膜を形成し、該レジスト膜をＥＵＶ光により露光、現像する工程を含むことを特徴とするパターン形成方法。
【手続補正２】
【補正対象書類名】明細書
【補正対象項目名】０００９
【補正方法】変更
【補正の内容】
【０００９】
（１）
（Ａ）一般式（Ｉ）で表される繰り返し単位及び一般式（ＩＩ）で表される繰り返し単位を含有する、酸の作用によりアルカリ現像液に対する溶解度が増大する樹脂、及び、（Ｂ）一般式（ＢＩ）で表される化合物を含有することを特徴とするＥＵＶ露光用ポジ型レジスト組成物。
【化１】
2006276760.tif 000004
一般式（Ｉ）において、
Ｒ1は、水素原子、メチル基、シアノ基、ハロゲン原子又はペルフルオロ基を表す。
Ｒ2は非酸分解性基を表す。
ｎは０〜４の整数を表す。
一般式（II）において、
Ｒ3〜Ｒ5は、各々独立に、水素原子、フッ素原子、塩素原子、シアノ基又はアルキル基を表す。
Ｘ1は水素原子又は有機基を表す。
【化２】
2006276760.tif 000005
一般式（ＢＩ）中、
Ｒa〜Ｒcは、各々独立して、アルキル基又はアリール基を表す。但し、Ｒa〜Ｒcにおけるアルキル基及びアリール基は、対応するアルカン及びアレーンの１気圧における沸点が各々１６０℃以上となる基である。
Ｘ-は、非求核性アニオンを表す。
（２）
樹脂（Ａ）がさらに下記一般式（III）で表される繰り返し単位を含有することを特徴とする上記（１）に記載のＥＵＶ露光用ポジ型レジスト組成物。
【化３】
2006276760.tif 000006
一般式（III）において、
Ｒ1は、水素原子、メチル基、シアノ基、ハロゲン原子又はペルフルオロ基を表す。
Ｒ2は非酸分解性基を表す。
Ｘは有機基を表す。
ｎは０≦ｎ≦５の整数、ｍは０≦ｍ≦５の整数であり、１≦ｎ＋ｍ≦５である。
（３）
一般式（II）中のＸ1及び一般式（III）中のＸの少なくともいずれかが脂環構造又は芳香環構造を含有することを特徴とする上記（２）に記載のＥＵＶ露光用ポジ型レジスト組成物。
【手続補正書】
【提出日】平成20年10月15日(2008.10.15)
【手続補正１】
【補正対象書類名】明細書
【補正対象項目名】特許請求の範囲
【補正方法】変更
【補正の内容】
【特許請求の範囲】
【請求項１】  遊技機の遊技盤の後側に配設されかつ複数の異なる装置がそれぞれ装着される機構盤を備えた遊技機であって、
前記機構盤は、前記遊技盤の後突出部に対応する開口窓を有しかつその開口窓を取り囲むようにして枠状に形成されるとともに、その各枠部の奥行き寸法が略同じ寸法に形成され、
前記機構盤の各枠部のうち、上枠部及び／又は下枠部と左右一方の側枠部には、凹状の装置装着部がそれぞれ形成され、これら各凹状の装置装着部には前記装置がそれぞれ装着されている遊技機。
【請求項２】  請求項１に記載の遊技機であって、機構盤は、一方の側枠部側においてヒンジ機構によって遊技盤の後側に開閉可能に装着され、機構盤の前記ヒンジ機構側に位置する一方の側枠部に凹状の装置装着部が形成されている遊技機。
【請求項３】  請求項２に記載の遊技機であって、機構盤の一方の側枠部の凹状の装置装着部には球払出装置が装着され、
前記球払出装置は、前記凹状の装置装着部に僅かな隙間をもって嵌込まれるケース体に各構成部材が組み付けられてユニット化されている遊技機。
【手続補正書】
【提出日】平成20年10月15日(2008.10.15)
【手続補正１】
【補正対象書類名】明細書
【補正対象項目名】特許請求の範囲
【補正方法】変更
【補正の内容】
【特許請求の範囲】
【請求項１】  遊技機の後側に配設された機構盤の上部に多数個の球を貯留して供給する球タンクが装着された遊技機であって、
前記機構盤の上部には、前記球タンクが嵌込まれて装着される凹状のタンク装着部が形成され、
前記タンク装着部の凹部内に前記球タンクが装着されたときには、前記球タンクの自重及び同球タンク内の球の荷重を前記タンク装着部の凹部において受ける構成にしてある遊技機。
【請求項２】  請求項１に記載の遊技機であって、タンク装着部は、球タンクの形状に対応しかつ機構盤の上端及び前後両側にそれぞれ開口する切り欠き状の凹部によって形成されている遊技機。
【請求項３】  請求項２に記載の遊技機であって、タンク装着部の凹部の奥行き寸法は、球タンクの奥行き寸法の略半分程度の大きさに形成されている遊技機。
【請求項４】  請求項１〜３のいずれか一項に記載の遊技機であって、タンク装着部は、球タンクの両側部を支持する両側壁部を備え、
前記タンク装着部の両側壁部と前記球タンクの両側部には、奥行き方向にそれぞれ延びて前記タンク装着部の凹部に前記球タンクを嵌込み案内するとともに、相互に係合して前記球タンクの自重及び同球タンク内の球の荷重を受ける溝部と凸部とがそれぞれ形成されている遊技機。
【請求項５】  請求項１〜４のいずれか一項に記載の遊技機であって、タンク装着部は、球タンクの底板部を受ける受け棚壁を備えている遊技機。
【手続補正書】
【提出日】平成20年11月4日(2008.11.4)
【手続補正１】
【補正対象書類名】明細書
【補正対象項目名】特許請求の範囲
【補正方法】変更
【補正の内容】
【特許請求の範囲】
【請求項１】  遊技機の後側に設けられた機構盤の上部には、球を貯留して供給する球タンクが設けられ、前記機構盤後面の前記球タンクの下方に位置する部分には、前記球タンクから供給される球を整流しながら所定位置まで誘導するタンクレール通路を構成するための凹部が形成され、
前記凹部の後側開口部には、前記タンクレール通路の少なくとも後側壁部をなすレール構成部材が組み付けられ、
前記凹部と前記レール構成部材との協働によって前記タンクレール通路が構成されていることを特徴とする遊技機。
【請求項２】  請求項１に記載の遊技機であって、レール構成部材は、タンクレール通路の後側壁部と、下側レール部とを一体状に備えていることを特徴とする遊技機。
【請求項３】  請求項１に記載の遊技機であって、凹部の下側壁部によってタンクレール通路の下側レール部が形成されていることを特徴とする遊技機。
【請求項４】  請求項２又は３に記載の遊技機であって、タンクレール通路の下側レール部には、同タンクレール通路を複数列に区画するための仕切り壁が形成されていることを特徴とする遊技機。
【手続補正書】
【提出日】平成20年5月30日(2008.5.30)
【手続補正１】
【補正対象書類名】明細書
【補正対象項目名】特許請求の範囲
【補正方法】変更
【補正の内容】
【特許請求の範囲】
【請求項１】
特定の対象の次元に適合するように、画像ボリューム内の撮像域（５０）を最適化するためのＭＲイメージング法であって、
画像収集中に収集される画像ボリュームの各スライス（５０）を事前に励起するステップと、
各スライスのＸ軸及びＹ軸に沿って投影データを収集するステップと、
各スライスの１次元投影を生成し、前記対象の撮像域を決定するステップと、
周波数及び位相エンコード傾斜パルスの振幅及び面積が所望の撮像域（５０）を生成させるようにスケール調整するステップと、
最適化した撮像域（５０）を用いて画像を収集するステップと、
撮像域一貫のデータ組において画像を再構成するステップと、を含むと共に、
画像分解能を最大化しかつエイリアシング・アーチファクトを排除していることを特徴とするＭＲイメージング法。
【請求項２】
特定の対象の次元に適合するように、画像ボリューム内の撮像域（５０）を最適化するためのＭＲイメージング・システムであって、
画像収集中に収集される画像ボリュームの各スライス（５０）を事前に励起する手段と、
各スライスのＸ軸及びＹ軸に沿って投影データを収集する手段と、
各スライスの１次元投影を生成し、前記対象の撮像域を決定する手段と、
周波数及び位相エンコード傾斜パルスの振幅及び面積が所望の撮像域（５０）を生成させるようにスケール調整する手段と、
最適化した撮像域（５０）を用いて画像を収集する手段と、
撮像域一貫のデータ組において画像を再構成する手段と、を含むと共に、
画像分解能を最大化しかつエイリアシング・アーチファクトを排除していることを特徴とするＭＲイメージング・システム。
【請求項３】
画像ボリューム内の撮像域（ＦＯＶ）がイメージングされる対象に対応するように、前記ＦＯＶを最適化するための磁気共鳴（ＭＲ）イメージング・システムで使用されている方法であって、
後で画像収集中に収集される各スライスを励起するステップと、
各スライスのＸ軸及びＹ軸に沿って投影データを収集し、前記対象の撮像域を決定するステップと、
周波数及び位相エンコード傾斜パルスをスケール調整し、各スライスでの所望の撮像域（５０）を生成するステップと、
ＦＯＶ一貫のデータ組において画像を再構成するステップと、を含むと共に、
画像分解能を最大化しかつエイリアシング・アーチファクトを排除していることを特徴とする方法。
【請求項４】
画像ボリューム内の撮像域（ＦＯＶ）がイメージングされる対象に対応するように、前記ＦＯＶを最適化するための磁気共鳴（ＭＲ）イメージング・システムであって、
後で画像収集中に収集される各スライスを励起する手段と、
各スライスのＸ軸及びＹ軸に沿って投影データを収集し、前記対象の撮像域を決定する手段と、
周波数及び位相エンコード傾斜パルスをスケール調整し、各スライスでの所望の撮像域（５０）を生成する手段と、
ＦＯＶ一貫のデータ組において画像を再構成する手段と、を含むと共に、
画像分解能を最大化しかつエイリアシング・アーチファクトを排除していることを特徴とするシステム。
【請求項５】
患者の寸法にマッチングさせ、これによって分解能を最大化しかつエイリアシング・アーチファクトを排除するように撮像域（ＦＯＶ）（５０）を最適化するためのＭＲイメージング法であって、
後で画像収集中に収集される各スライスを励起するステップと、
各スライスのＸ軸及びＹ軸に沿って投影データを収集し、前記患者の撮像域を決定するステップと、
復調周波数及び位相エンコード位相ロールを調整し、前記患者を前記ＦＯＶの中心に位置付けるステップと、
前記周波数及び位相エンコード傾斜パルスをスケール調整し、各スライスでの所望のＦＯＶを生成するステップと、
ＦＯＶ一貫のデータ組において画像を再構成するステップと、
を含むＭＲイメージング法。
【請求項６】
患者の寸法にマッチングさせ、これによって分解能を最大化しかつエイリアシング・アーチファクトを排除するように撮像域（ＦＯＶ）（５０）を最適化するためのＭＲイメージング・システムであって、
後で画像収集中に収集される各スライスを励起する手段と、
各スライスのＸ軸及びＹ軸に沿って投影データを収集し、前記患者の撮像域を決定する手段と、
復調周波数及び位相エンコード位相ロールを調整し、前記患者を前記ＦＯＶの中心に位置付ける手段と、
前記周波数及び位相エンコード傾斜パルスをスケール調整し、各スライスでの所望のＦＯＶを生成する手段と、
ＦＯＶ一貫のデータ組において画像を再構成する手段と、
を含むＭＲイメージング・システム。
【請求項７】
患者のＭＲイメージングにおける３次元収集で使用するために画像ボリューム内の撮像域（５０）を最適化する方法であって、
後で画像収集中に収集される各スライスを励起するステップと、
各スライスのＸ軸及びＹ軸に沿って投影データを収集し、前記患者の撮像域を決定するステップと、
復調周波数及び位相エンコード位相ロールを調整し、前記患者を前記ＦＯＶの中心に位置付けるステップと、
前記周波数及び位相エンコード傾斜パルスをスケール調整し、各スライスでの所望のＦＯＶを生成するステップと、
撮像域一貫のデータ組において画像を再構成するステップと、を含むと共に、
１スラブあたり投影対を１つだけ計測しかつスラブ全体を単一の最適化撮像域（５０）によって収集することを特徴とする方法。
【請求項８】
前記撮像収集のステップが、対象（３０、３２、３４）の中心をＦＯＶ（５０）の中心に位置させるように復調周波数及び位相エンコード位相ロールを調整する追加ステップと、周波数及び位相エンコード傾斜パルスの振幅を所望のＦＯＶ（５０）が生成されるようにスケール調整する追加ステップと、を含んでいる、請求項７に記載の方法。
【請求項９】
ＭＲイメージングにおける移動寝台式収集で使用するために画像ボリューム内の撮像域（５０）を最適化する方法であって、
後で画像収集中に収集される各スライスを励起するステップと、
各スライスのＸ軸及びＹ軸に沿って投影データを収集し、前記患者の撮像域を決定するステップと、
復調周波数及び位相エンコード位相ロールを調整し、前記患者を前記ＦＯＶの中心に位置付けるステップと、
前記周波数及び位相エンコード傾斜パルスをスケール調整し、各スライスでの所望のＦＯＶを生成するステップと、
最適化した撮像域（５０）を用いて画像を収集するステップと、
撮像域一貫のデータ組において画像を再構成するステップと、を含むと共に、
前記画像ボリュームは投影事前スキャンの間かつ次いで再度撮像の間にスキャナを通るように移動することを特徴とする方法。
【請求項１０】
前記撮像収集のステップが、対象（３０、３２、３４）の中心をＦＯＶ（５０）の中心に位置させるように復調周波数及び位相エンコード位相ロールを調整する追加ステップと、周波数及び位相エンコード傾斜パルスの振幅を所望のＦＯＶ（５０）が生成されるようにスケール調整する追加ステップと、を含んでいる、請求項９に記載の方法。
【手続補正書】
【提出日】平成20年6月6日(2008.6.6)
【手続補正１】
【補正対象書類名】明細書
【補正対象項目名】特許請求の範囲
【補正方法】変更
【補正の内容】
【特許請求の範囲】
【請求項１】
１組の端部リングを該端部リングの面と直角に配置した複数のラングによって接続して備えている無線周波数（ＲＦ）コイルと、
前記ＲＦコイルの周りに配置されており、ソレノイドコイルとして巻き付けた導体を備えた傾斜コイルであって、該ソレノイドコイルの巻き線は該傾斜コイルが形成する磁場のアイソセンタに位置する横断面の位置で反転するようにして、第１の巻線と反転した第２の巻線を形成し、前記第１の巻線から前記第２の巻線への移行は、前記導体のスパイラル巻きセグメントにより行われ、該導体のスパイラル巻きセグメントは、反転の前にＲＦコイルの周りを少なくとも半周だけ通過しており、前記横断面の各側に各１つある一対のギャップを有する、前記傾斜コイルとを備え、
前記ギャップの各々は前記ソレノイドコイルが全身用ＲＦコイルの一対の端部リングの上側に巻き付けられないように配置されると共に最小量の導体材料が各ギャップと交差するようにしている、磁気共鳴イメージング・システム。
【請求項２】
前記傾斜コイルの周りに配置したＲＦシールドをさらに備え、
前記スパイラル巻きセグメントは複数のラングの周りに配置させ、該ラングと該スパイラル巻きセグメントとの間のカップリングを該ラング間で実質的に均等に分布させている、請求項１に記載の磁気共鳴イメージング・システム。
【請求項３】
ＭＲイメージング・システムの全身用ＲＦコイルと共に使用されるコイルであって、
ソレノイドコイルとして巻き付けた導体を備え、該ソレノイドコイルの巻き線は該傾斜コイルが形成する磁場のアイソセンタに位置する横断面の位置で反転するようにして、第１の巻線と反転した第２の巻線を形成し、前記第１の巻線から前記第２の巻線への移行は、前記導体のスパイラル巻きセグメントにより行われ、該導体のスパイラル巻きセグメントは、反転の前に前記全身用ＲＦコイルの周りを少なくとも半周だけ通過しており、
前記全身用ＲＦコイルと前記スパイラル巻きセグメントとの間のカップリングを前記全身用ＲＦコイルにわたって実質的に均等に分布させている傾斜コイル。
【請求項４】
ＭＲイメージング・システムの全身用ＲＦコイルと共に使用されるコイルであって、
ソレノイドコイルとして巻き付けた導体を備え、該ソレノイドコイルの巻き線は該傾斜コイルが発生させる磁場のアイソセンタに位置する横断面で反転ようにして、第１の巻き線及び反転した第２の巻き線を形成し、前記第１の巻線から前記第２の巻線への移行は、前記導体のスパイラル巻きセグメントにより行われ、該導体のスパイラル巻きセグメントは、反転の前に前記全身用ＲＦコイルの周りを少なくとも半周だけ通過しており、前記横断面の各側に各１つある一対のギャップを備え、
前記ギャップの各々は前記ソレノイドコイルが全身用ＲＦコイルの一対の端部リングの上側に巻き付けられないように配置されると共に最小量の導体材料が各ギャップと交差するようにしている、傾斜コイル。
【請求項５】
一対の端部リングを該端部リングの面と直角に配置した複数の間隔をおいたラングによって接続して備えて全体として１つの内筒を形成しているバードケージ無線周波数（ＲＦ）コイルと、
ソレノイドコイルを形成するように巻き付けた導電性素子を備えている、前記内筒の周りに配置して全体として１つの外筒を形成している傾斜コイルであって、該ソレノイドコイル内には前記ソレノイドコイルが巻き付けられないＲＦコイルの各端部リングの上側に１つのギャップが存在しており、かつ各ギャップで前記導体の一部がと交差する傾斜コイルと、
を備える磁気共鳴イメージング・システム。
【請求項６】
２つの端部リングを該端部リングの面と直角に配置した複数のラングによって接続して備えている無線周波数（ＲＦ）コイルと、
前記ＲＦコイルの周りに配置されており、ソレノイドコイルとして巻き付けた導体を備えた傾斜コイルであって、該ソレノイドコイルの巻き線は該傾斜コイルが形成する磁場のアイソセンタに位置する横断面の位置で反転するようにして、第１の巻線と反転した第２の巻線を形成し、前記第１の巻線から前記第２の巻線への移行は、前記導体のスパイラル巻きセグメントにより行われ、該導体のスパイラル巻きセグメントは、反転の前にＲＦコイルの周りを少なくとも半周だけ通過している、前記傾斜コイルとを備える、磁気共鳴イメージング・システム。
【請求項７】
前記導体のスパイラル巻きセグメントは反転の前にＲＦコイルの周りを半周の倍数単位で通過している、請求項６に記載の磁気共鳴イメージング・システム。
【請求項８】
前記導体のスパイラル巻きセグメントは複数のラングの周りに配置させ、該ラングと該導体のスパイラル巻きセグメントとの間のカップリングを該ラング間で実質的に均等に分布させている、請求項６に記載の磁気共鳴イメージング・システム。
【請求項９】
ＭＲイメージング・システムの全身用ＲＦコイルと共に使用されるコイルであって、
ソレノイドコイルとして巻き付けた導体を備え、該ソレノイドコイルの巻き線は該傾斜コイルが形成する磁場のアイソセンタに位置する横断面の位置で反転するようにして、第１の巻線と反転した第２の巻線を形成し、前記横断面の各側に各１つある一対のギャップを有し、前記ギャップの各々は前記ソレノイドコイルが全身用ＲＦコイルの一対の端部リングの上側に巻き付けられないように配置されると共に最小量の導体材料が各ギャップと交差するようにしている、コイル。
【請求項１０】
さらに、横断面の位置で第１の巻き線から第２の巻き線へ遷移させると共に反転の前に少なくとも半周だけ全身用ＲＦコイルの周りを通過しているようなスパイラル巻きセグメントを備え、
前記スパイラル巻きセグメントは反転の前に半周の倍数単位で全身用ＲＦコイルの周りを通過しており、
前記導体のスパイラル巻きセグメントは、全身用ＲＦコイルと該スパイラル巻きセグメントの間のカップリングが全身用ＲＦコイルにわたって実質的に均等に分布されるようにして該全身用ＲＦコイルの周りに配置されている、請求項９に記載の傾斜コイル。
【手続補正書】
【提出日】平成20年6月6日(2008.6.6)
【手続補正１】
【補正対象書類名】明細書
【補正対象項目名】特許請求の範囲
【補正方法】変更
【補正の内容】
【特許請求の範囲】
【請求項１】
コンピュータを備える誤り訂正システムであって、
該コンピュータは、
ＣＴシステム（１０）内で伝送済みのデータ・サンプルで誤りを検出すること、
前記ＣＴシステム（１０）のスリップリングを介して伝送された誤りのある伝送済みのデータ・サンプルを近隣のデータ・サンプルからの補間データで置き換えること、
を行うようにプログラムされている誤り訂正システム。
【請求項２】
前記異常データ・サンプルを近隣のデータ・サンプルからの線形補間データで置き換えるようにさらにプログラムした請求項１に記載のシステム。
【請求項３】
誤り検出の発生件数を追跡するようにさらにプログラムした請求項２に記載のシステム。
【請求項４】
追跡したデータに対してトレンド分析を実行し障害を予測するようにさらにプログラムした請求項２に記載のシステム。
【請求項５】
前記データ・サンプルを位置特定すること、
前記誤りのあるデータ・サンプルをサンプル単位で近隣のデータ・サンプルからの補間データで置き換えること、
を行うようにさらにプログラムした請求項２に記載のシステム。
【請求項６】
前記誤りのあるデータ・サンプルを該誤りのあるデータ・サンプルの伝送に先だってビュー単位で近隣のデータ・サンプルからの補間データで置き換えるようにさらにプログラムした請求項２に記載のシステム。
【請求項７】
スリップリング（３８）及びイーサネット・データバスのうちの少なくとも一方、並びにデータ記憶デバイス及びデータ記憶媒体のうちの少なくとも一方に関する障害を予測するためにトレンド分析を実行するようにさらにプログラムした請求項４に記載のシステム。
【請求項８】
前記誤りのあるデータ・サンプルを近隣のデータ・サンプルからのより高次補間のデータで置き換えるようにさらにプログラムした請求項２に記載のシステム。
【請求項９】
前記誤りのあるデータ・サンプルを該誤りのあるデータ・サンプルの伝送に先だって横列単位で近隣のデータ・サンプルからの補間データで置き換えるようにさらにプログラムした請求項１に記載のシステム。
【請求項１０】
１ビューあたりの誤りの数が所定のしきい値未満の場合に、異常なチャンネルのみを置き換えること、
１ビューあたりの誤りの数が所定のしきい値を超えている場合に、あるビュー全体及びある横列全体のうちの少なくとも一方を置き換えること、
を行うようにさらにプログラムした請求項１に記載のシステム。
【手続補正書】
【提出日】平成20年10月3日(2008.10.3)
【手続補正１】
【補正対象書類名】特許請求の範囲
【補正対象項目名】全文
【補正方法】変更
【補正の内容】
【特許請求の範囲】
【請求項１】
障害者をシャワー装置に出入りさせるための折り畳み式シャワー支援装置（Ａ）であって、
（ｉ）  ヒンジ機構（３３、３５）により互いに連結された少なくとも１対の細長フレーム部材（Ｃ、Ｄ）であって、各細長フレーム部材（Ｃ、Ｄ）が、畳まれたポジションと組み立てられたポジションとの間で上記ヒンジ機構（３３、３５）まわりにピボット回転可能となっていて、これにより、組み立てられたポジションであるときには、各細長フレーム部材（Ｃ、Ｄ）の上面が同一平面内に配列され、かつ、該細長フレーム部材（Ｃ、Ｄ）のうちの少なくとも１つがシャワー装置の空洞内に伸びるようになっているものと、
（ｉｉ）  上記細長フレーム部材（Ｃ、Ｄ）の上面に滑動可能に取り付けられ、上記細長フレーム部材（Ｃ、Ｄ）に沿って前後に滑動することが可能となっているプラットホーム（２３、４４）と、
（ｉｉｉ）  上記プラットホーム（２３、４４）の上面に取り付けられ、障害者をのせるシート（８）と該シート（８）を支持する脚部（１０、１２、２５、２８）とを備えていて、上記シート（８）を上向き及び下向きに移動させ、かつ、使用時における直立したポジションから、非使用時における最も低いポジションに移動させられるようになっている障害者支持手段とを含み、
上記細長フレーム部材（Ｃ、Ｄ）が組み立てられたポジションにあり、かつ、上記障害者支持手段が直立したポジションにあるときには、上記障害者支持手段の上記シート（８）の上にのっている障害者が上記細長フレーム部材（Ｃ、Ｄ）に沿って前後に滑動してシャワー装置の空洞に出入りできるようになっていて、
該折り畳み式シャワー支援装置は非使用時には畳まれ、上記障害者支持手段は最も低いポジションとなり、かつ、上記細長フレーム部材（Ｃ、Ｄ）は、上記ヒンジ機構（３３、３５）のまわりに回転して上記細長フレーム部材（Ｃ、Ｄ）の長手方向に関して半分に折り畳まれるようになっていることを特徴とする折り畳み式シャワー支援装置。
【手続補正書】
【提出日】平成20年7月3日(2008.7.3)
【手続補正１】
【補正対象書類名】特許請求の範囲
【補正対象項目名】全文
【補正方法】変更
【補正の内容】
【特許請求の範囲】
【請求項１】
口及び鼻先を含む顔面の対象部位を覆う本体部と、この本体部を身体に係止するための係止部とを有するマスクにおいて、
少なくとも前記本体部の一部または全部が、外側層、内側層およびこれらの間に配置された圧縮復元層からなる三層構造を有し、
前記圧縮復元層の厚さが１〜１０ｍｍであり、
ＪＩＳ  Ｌ  １０９６  ８．２７．１  Ａ法により測定される、前記圧縮復元層の通気度が５０〜４００ｃｃ／ｃｍ2・ｓｅｃである、
ことを特徴とするマスク。
【請求項２】
少なくとも鼻の両脇と対向する部分が、前記三層構造とされている、請求項１記載のマスク。
【請求項３】
前記圧縮復元層の圧縮レジリエンスＲＣが５０％以上である、請求項１または２記載のマスク。
【請求項４】
前記圧縮復元層が折り畳まれた又は複数層積み重ねられた圧縮復元性素材からなる、請求項１または２記載のマスク。
【請求項５】
前記口及び鼻先と対向する部分が、その周囲部分よりも外側に膨出する立体形状を有する立体マスクである、請求項１〜４のいずれか１項に記載のマスク。
【手続補正２】
【補正対象書類名】明細書
【補正対象項目名】０００８
【補正方法】変更
【補正の内容】
【０００８】
上記課題を解決した本発明は次記のとおりである。
＜請求項１記載の発明＞
口及び鼻先を含む顔面の対象部位を覆う本体部と、この本体部を身体に係止するための係止部とを有するマスクにおいて、
少なくとも前記本体部の一部または全部が、外側層、内側層およびこれらの間に配置された圧縮復元層からなる三層構造を有し、
前記圧縮復元層の厚さが１〜１０ｍｍであり、
ＪＩＳ  Ｌ  １０９６  ８．２７．１  Ａ法により測定される、前記圧縮復元層の通気度が５０〜４００ｃｃ／ｃｍ2・ｓｅｃである、
ことを特徴とするマスク。
【手続補正３】
【補正対象書類名】明細書
【補正対象項目名】００１２
【補正方法】変更
【補正の内容】
【００１２】
＜請求項３記載の発明＞
前記圧縮復元層の圧縮レジリエンスＲＣが５０％以上である、請求項１または２記載のマスク。
【手続補正４】
【補正対象書類名】明細書
【補正対象項目名】００２５
【補正方法】変更
【補正の内容】
【００２５】
圧縮復元層４０の通気度（ＪＩＳ  Ｌ  １０９６  ８．２７．１  Ａ法）が５０〜４００ｃｃ／ｃｍ2・ｓｅｃであるのが好ましく、特に５０〜３５０ｃｃ／ｃｍ2ｓｅｃであるのが好ましい。通気度が過度に低いと息苦しさを生じ易く、通気度が高すぎると遮断すべきものも透過させてしまうおそれがある。
【手続補正書】
【提出日】平成20年9月10日(2008.9.10)
【手続補正１】
【補正対象書類名】特許請求の範囲
【補正対象項目名】全文
【補正方法】変更
【補正の内容】
【特許請求の範囲】
【請求項１】
２層以上の重ね合わせ衛生薄葉紙であって、
前記衛生薄葉紙の使用面側の最外層が、パルプを原料とする紙層であり、
前記最外層の吸水度が５秒以上、米坪が１０〜２０ｇ／ｍ2（ＪＩＳ  Ｐ  ８１２４）であり、
前記最外層を除く他層のクレム吸水度が３０ｍｍ以上（ＪＩＳ  Ｐ  ８１４１）、米坪が１５〜３５ｇ／ｍ2（ＪＩＳ  Ｐ  ８１２４）であり、
前記他層の液保持容量が、前記最外層の液保持容量よりも大きく、
人工鼻水の裏抜け試験（無荷重時）での人工鼻水の裏抜け量が１０ｍｇ以下であることを特徴とする衛生薄葉紙。
【請求項２】
３層の重ね合わせ衛生薄葉紙であって、
各層がパルプを原料とする紙層であり、
両最外層の吸水度が５秒以上、米坪が１０〜２０ｇ／ｍ2（ＪＩＳ  Ｐ  ８１２４）であり、
中間層のクレム吸水度が３０ｍｍ以上（ＪＩＳ  Ｐ  ８１４１）、米坪が１５〜３５ｇ／ｍ2（ＪＩＳ  Ｐ  ８１２４）であり、
前記中間層の液保持容量が、前記両最外層の液保持容量よりも大きく、
人工鼻水の裏抜け試験（無荷重時）での人工鼻水の裏抜け量が１０ｍｇ以下であることを特徴とする衛生薄葉紙。
【請求項３】
荷重条件下（２５０ｇ荷重で３秒）での人工鼻水の裏抜け試験での人工鼻水の裏抜け量が１５０ｍｇ以下である請求項１または２記載の衛生薄葉紙。
【請求項４】
中間層に抗ウィルス剤が含有されている請求項２記載の衛生薄葉紙。
【請求項５】
両外層に液不透過性を高める薬液を含む請求項２記載の衛生薄葉紙。
【請求項６】
相互に重なり合う各層が、熱融着、超音波融着、粘着剤及びプライボンディングの群から選ばれたいずれか１つの接合加工により重ね合わされている請求項１〜５のいずれか１項に記載の衛生薄葉紙。
【請求項７】
中間層のいずれかの層に着色がなされ、その着色が少なくとも一方の最外層側から視認可能の関係にある請求項２記載の衛生薄葉紙。
【請求項８】
製品米坪が１０〜５５ｇ／ｍ2である請求項１〜７のいずれか１項に記載の衛生薄葉紙。
【手続補正２】
【補正対象書類名】明細書
【補正対象項目名】０００４
【補正方法】変更
【補正の内容】
【０００４】
この課題を解決した本発明は、次のとおりである。
〔請求項１記載の発明〕
２層以上の重ね合わせ衛生薄葉紙であって、
前記衛生薄葉紙の使用面側の最外層が、パルプを原料とする紙層であり、
前記最外層の吸水度が５秒以上、米坪が１０〜２０ｇ／ｍ2（ＪＩＳ  Ｐ  ８１２４）であり、
前記最外層を除く他層のクレム吸水度が３０ｍｍ以上（ＪＩＳ  Ｐ  ８１４１）、米坪が１５〜３５ｇ／ｍ2（ＪＩＳ  Ｐ  ８１２４）であり、
前記他層の液保持容量が、前記最外層の液保持容量よりも大きく、
人工鼻水の裏抜け試験（無荷重時）での人工鼻水の裏抜け量が１０ｍｇ以下であることを特徴とする衛生薄葉紙。
【手続補正３】
【補正対象書類名】明細書
【補正対象項目名】０００５
【補正方法】変更
【補正の内容】
【０００５】
（作用効果）
人工鼻水の裏抜け量が１０ｍｇ以下であるので、鼻水などをかんだとき、あるいは汚染された液を清拭したときなどにおいて、衛生的なものとなる。風邪をひいたときなどの場合には、ウィルスとの人体との接触を防止でき、その伝播を防止できる。さらに、ゴミ箱に丸めて廃棄した場合にも、ゴミ箱から廃棄する場合に体との接触を防止できる。かくして公衆衛生の観点から優れたものとなる。
また、最外層の少なくとも一方の外層であるために、一般的なティシュペーパーと同様な感触を示し、違和感がないものとなる。
さらに、使用面側の最外層より他層の坪量が大きく、他層での液保持容量が大きく裏抜け低減効果が高い。
【手続補正４】
【補正対象書類名】明細書
【補正対象項目名】０００６
【補正方法】変更
【補正の内容】
【０００６】
〔請求項２記載の発明〕
３層の重ね合わせ衛生薄葉紙であって、
各層がパルプを原料とする紙層であり、
両最外層の吸水度が５秒以上、米坪が１０〜２０ｇ／ｍ2（ＪＩＳ  Ｐ  ８１２４）であり、
中間層のクレム吸水度が３０ｍｍ以上（ＪＩＳ  Ｐ  ８１４１）、米坪が１５〜３５ｇ／ｍ2（ＪＩＳ  Ｐ  ８１２４）であり、
前記中間層の液保持容量が、前記両最外層の液保持容量よりも大きく、
人工鼻水の裏抜け試験（無荷重時）での人工鼻水の裏抜け量が１０ｍｇ以下であることを特徴とする衛生薄葉紙。
【手続補正５】
【補正対象書類名】明細書
【補正対象項目名】０００７
【補正方法】変更
【補正の内容】
【０００７】
（作用効果）
３層の重ね合わせ衛生薄葉紙とし、かつ、両最外層がパルプを原料とする紙層であると、表裏を区別なく使用することができ、肌触りに優れ、しかも、中間層についてもパルプを原料とする紙層であるので、製品全体として柔軟性に富むものとなる。
また、両最外層より中間層の坪量が大きく、中間層での液保持容量が大きく裏抜け低減効果が高い。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
〔請求項４記載の発明〕
中間層に抗ウィルス剤が含有されている請求項２記載の衛生薄葉紙。
【手続補正９】
【補正対象書類名】明細書
【補正対象項目名】００１４
【補正方法】変更
【補正の内容】
【００１４】
〔請求項５記載の発明〕
両外層に液不透過性を高める薬液を含む請求項２記載の衛生薄葉紙。
【手続補正１０】
【補正対象書類名】明細書
【補正対象項目名】００１６
【補正方法】変更
【補正の内容】
【００１６】
〔請求項６記載の発明〕
相互に重なり合う各層が、熱融着、超音波融着、粘着剤及びプライボンディングの群から選ばれたいずれか１つの接合加工により重ね合わされている請求項１〜５のいずれか１項に記載の衛生薄葉紙。
【手続補正１１】
【補正対象書類名】明細書
【補正対象項目名】００１８
【補正方法】変更
【補正の内容】
【００１８】
〔請求項７記載の発明〕
中間層のいずれかの層に着色がなされ、その着色が少なくとも一方の最外層側から視認可能の関係にある請求項２記載の衛生薄葉紙。
【手続補正１２】
【補正対象書類名】明細書
【補正対象項目名】００２０
【補正方法】変更
【補正の内容】
【００２０】
〔請求項８記載の発明〕
製品米坪が１０〜５５ｇ／ｍ2である請求項１〜７のいずれか１項に記載の衛生薄葉紙。
【手続補正書】
【提出日】平成20年7月10日(2008.7.10)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が配列された複数の周回体と、
前記各周回体について各絵柄のうち一部の絵柄を視認可能とする表示窓と、
前記各周回体の周回を開始させるべく操作される始動操作手段と、
前記始動操作手段の操作に基づいて、所定絵柄役及び特定絵柄役等の役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記各停止操作手段の操作に基づいて、該各停止操作手段の操作タイミングから予め定めた規定期間内に、操作された停止操作手段と対応する周回体の周回を停止させるように、且つ前記役の抽選に当選した場合には、該当選役と対応する絵柄が前記表示窓から視認できる有効位置に停止し得るように前記各駆動手段を停止駆動制御する停止駆動制御手段と、
前記抽選手段の抽選結果が前記所定絵柄役当選であり、所定絵柄又は所定絵柄の組合せが前記有効位置に停止した場合、遊技者に特典を付与する特典付与手段と、
前記抽選手段の抽選結果が前記特定絵柄役当選であり、特定絵柄の組合せが前記有効位置に停止した場合、所定の終了条件が成立するまで、遊技状態を遊技者に有利な特別遊技状態に移行させる特別遊技状態移行手段と、
前記特定絵柄役に当選しているか否かを示唆する示唆演出を行う示唆演出手段と
を備えた遊技機において、
前記停止操作手段が操作された場合に予め設定した基準位置に到達している到達絵柄と、前記規定期間が経過するまでに前記基準位置に停止させる停止絵柄との関係を定め得る停止情報群を複数記憶する停止情報群記憶手段と、
前記抽選手段の抽選結果に応じて前記複数の停止情報群から１つの停止情報群を選択する停止情報群選択手段と、
該停止情報群選択手段の選択した停止情報群を格納する停止情報群格納手段と
を備え、
前記停止駆動制御手段を、前記停止情報群格納手段に格納された停止情報群に基づいて前記各駆動手段を停止駆動制御する構成とし、
前記各周回体のうち少なくとも１つの絵柄配列を、前記特定絵柄と、前記各停止操作手段の操作タイミングに関わらず前記規定期間内に前記有効位置に到達し得るように配置した第１所定絵柄と、前記各停止操作手段が所定のタイミングで操作された場合に限り前記規定期間内に前記有効位置に到達し得るように配置した複数種類の第２所定絵柄とを含む構成とし、
前記各停止情報群に、前記周回体の周回を停止させる停止態様として、前記到達絵柄をそのまま前記基準位置に停止させる停止態様と、前記到達絵柄を前記周回体の周回する側に所定の絵柄数分だけ移動させた後に停止させる複数の停止態様を定め、
前記有効位置に先に到達する第１所定絵柄と、前記有効位置に次に到達する同種の第１所定絵柄の間隔が、前記規定期間に前記到達絵柄の移動できる最大絵柄数以下となるように、前記第１所定絵柄を配置し、
前記有効位置に先に到達する第２所定絵柄と、前記有効位置に次に到達する同種又は同一の第２所定絵柄の間隔が前記最大絵柄数より大きな非配置区間が形成されるように、前記各第２所定絵柄を配置し、
さらに、前記複数種類の第２所定絵柄が前記各停止情報群に定めた停止態様数と同数の範囲内に配置された区間を形成することにより、前記規定期間内に前記各第２所定絵柄を前記有効位置に到達させることが可能な到達可能絵柄を設定し、
前記特定絵柄を、前記到達可能絵柄が前記有効位置に到達しているタイミングで前記各停止操作手段が操作された場合に、前記有効位置に到達しない位置に配置したことを特徴とする遊技機。
【請求項２】
前記抽選手段の抽選結果が前記特定絵柄役の当選である場合、前記特定絵柄の組合せが前記有効位置に停止するまで前記特定絵柄役当選を留保する留保手段と、前記抽選手段の抽選結果が前記各所定絵柄又は各所定絵柄の組合せと対応する所定絵柄役の当選である場合、対応する所定絵柄又は所定絵柄の組合せが前記有効位置に停止したか否かに関わらず、前記各周回体が停止した後に前記所定絵柄役当選を無効とする無効化手段を備えたことを特徴とする請求項１に記載の遊技機。
【請求項３】
周方向に周回すると共に、該周方向に複数種の絵柄が配列された複数の周回体と、
前記各周回体について各絵柄のうち一部の絵柄を視認可能とする表示窓と、
前記各周回体の周回を開始させるべく操作される始動操作手段と、
前記始動操作手段の操作に基づいて役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記各停止操作手段の操作に基づいて、該各停止操作手段の操作タイミングから予め定めた規定期間内に、操作された停止操作手段と対応する周回体の周回を停止させるよう前記各駆動手段を停止駆動制御する停止駆動制御手段と、
前記表示窓から視認できる有効位置に、前記役の抽選に当選した当選役と対応する所定絵柄又は所定絵柄の組合せが停止した場合、遊技者に特典を付与する特典付与手段と、
前記有効位置に、前記役の抽選に当選した当選役と対応する特定絵柄の組合せが停止した場合、所定の終了条件が成立するまで、遊技状態を遊技者に有利な特別遊技状態に移行させる特別遊技状態移行手段と、
前記特定絵柄の組合せと対応する特定絵柄役に当選しているか否かを示唆する示唆演出を行う示唆演出手段と
を備えた遊技機において、
前記各周回体の絵柄配列を、前記特定絵柄と、前記各停止操作手段の操作タイミングに関わらず前記規定期間内に前記有効位置に到達し得るように配置した第１所定絵柄と、前記各停止操作手段が所定のタイミングで操作された場合に限り前記規定期間内に前記有効位置に到達し得るように配置した第２所定絵柄とを含む構成とし、
さらに、前記特定絵柄を、前記規定期間内に前記第２所定絵柄を前記有効位置に到達させることが可能なタイミングで前記各停止操作手段が操作された場合に、前記有効位置に到達しない位置に配置したことを特徴とする遊技機。